(57)【要約】【課題】着信通知機能による消費電力を低減させることができる携帯電話機を実現することを課題とする。【解決手段】携帯電話機は、ＲＦＩＤチップを備える。また、携帯電話機は、通信信号を受信したか否かを判定する着信判定部１７８を備える。また、携帯電話機は、着信判定部１７８によって通信信号を受信したと判定されたら、通信信号を受信したことを示す着信通知信号をＲＦＩＤチップに送信させる近距離通信制御部１８０を備える。【選択図】図２
2012244474.tif 000002
【特許請求の範囲】
【請求項１】
ＩＣチップと、
通信信号を受信したか否かを判定する着信判定部と、
前記着信判定部によって前記通信信号を受信したと判定されたら、前記通信信号を受信したことを示す着信通知信号を前記ＩＣチップに送信させる通信制御部と
を備えたことを特徴とする電子機器。
【請求項２】
前記通信制御部は、前記電子機器を識別する識別子を前記着信通知信号に含めて前記ＩＣチップから送信する
ことを特徴とする請求項１に記載の電子機器。
【請求項３】
前記ＩＣチップは、前記ＩＣチップに対する給電がある場合にのみ動作するものであり、
前記電子機器は、
前記ＩＣチップに対する給電がない状態において、前記着信判定部によって前記通信信号を受信したと判定されたら、前記ＩＣチップへの給電を開始する電源制御部を備えることを特徴とする請求項１または２に記載の電子機器。
【請求項４】
ＩＣチップと、
通信信号を受信したか否かを判定する着信判定部と、
前記着信判定部によって前記通信信号を受信したと判定されたら、前記通信信号を受信したことを示す着信通知信号を前記ＩＣチップに送信させる通信制御部と
を備えた電子機器と、
前記電子機器から前記着信通知信号を受信したか否かを判定する受信判定部と、
前記受信判定部によって前記着信通知信号を受信したと判定されたら、該受信した着信通知信号に基づいて自装置を振動させるか、又は自装置から着信音を出力させる鳴動制御部と、
を備えた着信通知装置と、
を備えることを特徴とする着信通知システム。
【請求項５】
前記着信通知信号は前記電子機器を識別する識別子を含む場合において、
電子機器を識別する識別子に対応して振動パターン又は着信音パターンが設定された鳴動パターンテーブルから取得した、
前記着信通知信号に含まれる受信識別子に対応する振動パターンにしたがって自装置を振動させるか、又は該受信識別子に対応する着信音パターンにしたがって自装置から着信音を出力させる
ことを特徴とする請求項４に記載の着信通知システム。
【請求項６】
ＩＣチップを備える電子機器に、
通信信号を受信したか否かを判定し、
前記通信信号を受信したと判定されたら、前記通信信号を受信したことを示す着信通知信号を前記ＩＣチップに送信させる
処理を実行させることを特徴とする着信通知プログラム。
【発明の詳細な説明】
【技術分野】
【０００１】
本発明は、電子機器、着信通知システム、及び着信通知プログラムに関する。
【背景技術】
【０００２】
従来、携帯電話機などの電子機器では、通話の着信や電子メールの着信を、バイブレータによる振動又は着信音の出力によって利用者に知らせることが一般的に行われている。
【０００３】
これに対して近年、例えば携帯電話機をカバンに入れた状態のように、利用者が携帯電話機を直接所持していない状態で、携帯電話機への通話又は電子メールなどの着信を利用者に知らせる機能が用いられるようになっている。
【０００４】
このような着信通知機能は、例えば利用者が身に付ける時計又は指輪などに、携帯電話機の着信を検出する着信検出手段と、ＬＥＤ（Light Emitting Diode）などの発光手段を設け、着信が検出されたらＬＥＤを発光させることによって利用者に着信を知らせる。
【先行技術文献】
【特許文献】
【０００５】
【特許文献１】特開２００３−３３３１３０号公報
【発明の概要】
【発明が解決しようとする課題】
【０００６】
しかしながら、従来技術は、着信通知機能による消費電力を低減させることについて考慮されていない。
【０００７】
すなわち、従来技術を応用すると、携帯電話機と着信通知装置との間を例えばBluetooth（登録商標）などの近距離無線通信で接続しておき、携帯電話機への着信をBluetooth通信により着信通知装置に通知することにより、利用者に着信を伝えることが考えられる。
【０００８】
しかしながら、例えばBluetoothのような近距離無線通信では、携帯電話機と着信通知装置との間で常に通信リンクを設定しておくことになるので、例えば着信の待ち受け状態であっても携帯電話機及び着信通知装置の電力が消費される。
【０００９】
開示の技術は、上記に鑑みてなされたものであって、着信通知機能による消費電力を低減させることができる電子機器、着信通知システム、及び着信通知プログラムを実現することを目的とする。
【課題を解決するための手段】
【００１０】
本願の開示する電子機器は、一つの態様において、ＩＣチップを備える。また、電子機器は、通信信号を受信したか否かを判定する着信判定部を備える。また、電子機器は、前記着信判定部によって前記通信信号を受信したと判定されたら、前記通信信号を受信したことを示す着信通知信号を前記ＩＣチップに送信させる通信制御部を備える。
【発明の効果】
【００１１】
本願の開示する電子機器の一つの態様によれば、着信通知機能の利便性を向上させることができる。
【図面の簡単な説明】
【００１２】
【図１】図１は、携帯電話機のハードウェア構成を示す図である。
【図２】図２は、携帯電話機の機能ブロックを示す図である。
【図３】図３は、着信通知装置のハードウェア構成を示す図である。
【図４】図４は、鳴動パターンテーブルの一例を示す図である。
【図５】図５は、着信通知装置の機能ブロックを示す図である。
【図６】図６は、携帯電話機の処理フローを示す図である。
【図７】図７は、着信通知装置の処理フローを示す図である。
【発明を実施するための形態】
【００１３】
以下に、本願の開示する電子機器、着信通知システム、及び着信通知プログラムの実施形態を図面に基づいて詳細に説明する。なお、この実施形態により開示技術が限定されるものではない。例えば、以下の実施形態では、電子機器の一例として携帯電話機を挙げて説明するが、これに限らず、通信機能を有する電子機器であればよい。例えば、電子機器は、ＰＤＡ（Personal Digital Assistant）やＰＣ（Personal Computer）などでもよい。また、本実施形態において着信とは、音声通話、電子メールの他、通信相手の通信装置から送信された通信信号を受信したことを示すものとする。
【００１４】
図１は、携帯電話機のハードウェア構成を示す図である。図１に示すように、本実施形態の携帯電話機１００は、アンテナ１０２、無線部１０４、スピーカ１０８、マイク１１０、及びオーディオ入出力部１１２を備える。また、携帯電話機１００は、ＩＣチップ１２０、電源１４０、記憶部１５０、表示部１５６、キー入力部１５８、及びプロセッサ１６０を備える。本実施形態においては、ＩＣチップの一例として、ＲＦＩＤ（Radio Frequency Identification）チップ１２０を使用する例を説明する。
【００１５】
無線部１０４は、アンテナ１０２を介して音声や文字などの各種データの無線通信を行う。また、オーディオ入出力部１１２は、マイク１１０を介して音声を入力するとともにスピーカ１０８を介して音声を出力する入出力インターフェースである。
【００１６】
ＲＦＩＤチップ１２０は、例えばＦｅｌｉＣａ（登録商標）チップ又はＮＦＣ（Near Field Communication）チップなどのようにＩＤ（Identification）情報を送信することができるＩＣ（Integrated Circuit）チップである。ＲＦＩＤチップ１２０は、携帯電話機１００の外部に配設されたＲ／Ｗ（Reader/Writer：リーダライタ）との間で無線通信を行う。本実施形態では、Ｒ／Ｗは着信通知装置に設けられる。ＲＦＩＤチップ１２０は、例えばプロセッサ１６０のＵＡＲＴ（Universal Asynchronous Receiver Transmitter）ポートに接続され、ＵＡＲＴポートを介してプロセッサ１６０との間で各種データの送受信を実行する。
【００１７】
電源１４０は、ＲＦＩＤチップ１２０に電力を供給する電力供給部である。電源１４０からの電力供給を開始することにより、ＲＦＩＤチップ１２０は無線通信が可能な状態になる。一方、電源１４０から電力供給を停止することにより、ＲＦＩＤチップ１２０は無線通信を行えない状態になる。つまり、ＲＦＩＤチップ１２０は電源１４０からの給電があるときにのみ動作する。このような仕組みを用いることで、例えばＲＦＩＤチップ１２０の無線通信機能のロックのオン／オフを制御することが可能となる。
【００１８】
記憶部１５０は、携帯電話機１００の各種機能を実行するためのデータ、及び携帯電話機１００の各種機能を実行するための各種プログラムを格納するＲＯＭ(Read  Only  Memory)１５２を有する。また、記憶部１５０は、ＲＯＭ１５２に格納された各種プログラムのうち実行されるプログラムを格納するＲＡＭ（Random  Access  Memory）１５４を有する。表示部１５６は、文字や画像などの各種情報を表示する液晶パネルなどの出力インターフェースである。キー入力部１５８は、携帯電話機１００に設けられた各種の操作キーであり、ユーザから入力された操作を受け付ける入力インターフェースである。
【００１９】
プロセッサ１６０は、ＲＯＭ１５２又はＲＡＭ１５４に格納された各種プログラムを実行するＣＰＵ（Central  Processing  Unit）等の演算処理部である。プロセッサ１６０は、ＲＯＭ１５２又はＲＡＭ１５４に格納された各種プログラムを実行することにより、上述した無線部１０４、オーディオ入出力部１１２、ＲＦＩＤチップ１２０、電源１４０、表示部１５６、及びキー入力部１５８を制御する。なお、プロセッサ１６０で実行されるプログラムは、ＲＯＭ１５２又はＲＡＭ１５４に格納されるだけではなく、ＣＤ(Compact  Disc)−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、ネットワークを介して接続される携帯電話機１００からの要求に応じてサービスを要求元の携帯電話機１００に提供することもできる。
【００２０】
次に、携帯電話機１００の機能ブロックについて説明する。図２は、携帯電話機の機能ブロックを示す図である。図２に示すように、携帯電話機１００は、機能ブロックとして、無線制御部１７２、表示制御部１７４、入力制御部１７６、着信判定部１７８、近距離通信制御部１８０、及び電源制御部１８２を備える。無線制御部１７２、表示制御部１７４、入力制御部１７６、着信判定部１７８、近距離通信制御部１８０、及び電源制御部１８２は、プロセッサ１６０がＲＯＭ１５２又はＲＡＭ１５４から各種プログラムを読み出して実行することによって実現される。
【００２１】
無線制御部１７２は、無線部１０４を制御することにより、基地局を介して通信相手の携帯電話機等と音声や文字などの各種データの無線通信の制御を行う。表示制御部１７４は、記憶部１５０に格納された文字や画像などの各種情報を表示部１５６に表示するための制御を行う。入力制御部１７６は、キー入力部１５８を介して入力されたユーザの入力操作を受け付ける制御を行う。
【００２２】
着信判定部１７８は、通信相手の携帯電話機などの通信装置から送信された通信信号を受信したか否かを判定する。近距離通信制御部１８０は、着信判定部１７８によって通信信号を受信したと判定されたら、通信信号を受信した携帯電話機を識別する識別子を含み、通信信号を受信したことを示す無線信号をＲＦＩＤチップ１２０から送信する。以下の説明では適宜、通信信号を受信した携帯電話機を識別する識別子を含み、通信信号を受信したことを示す無線信号を「着信通知信号」という。本実施形態では、着信通知信号には、携帯電話機を識別する識別子として４ｂｉｔのＲＦＩＤ信号が含まれるものとする。
【００２３】
電源制御部１８２は、着信判定部１７８によって通信信号を受信したと判定されたら、着信通知信号をＲＦＩＤチップ１２０に送信する。また、ＲＦＩＤチップ１２０が給電されていない状態、例えばＲＦＩＤチップ１２０の無線通信機能がロック状態の場合に着信判定部１７８が通信信号を受信したと判定したら、電源１４０からＲＦＩＤチップ１２０への給電を開始する。例えば、近距離通信制御部１８０は、着信判定部１７８によって通信信号を受信したと判定されて、電源１４０からＲＦＩＤチップ１２０への給電が開始された後に、着信通知信号をＲＦＩＤチップ１２０に送信する。
【００２４】
次に、着信通知装置のハードウェア構成について説明する。図３は、着信通知装置のハードウェア構成を示す図である。図３に示すように、本実施形態の着信通知装置２００は、ＲＦＩＤ−Ｒ／Ｗ２０４、スピーカ２０８、マイク２１０、及びオーディオ入出力部２１２を備える。また、着信通知装置２００は、バイブレータ２２０、記憶部２５０、表示部２５６、キー入力部２５８、及びプロセッサ２６０を備える。なお、着信通知装置２００は、利用者が身に付ける時計又は指輪などの装身具の他、利用者のポケットなどに入れることができる比較的小型の装置とすることができる。
【００２５】
ＲＦＩＤ−Ｒ／Ｗ２０４は、ＲＦＩＤチップ１２０との間で無線通信を行うことができるＲ／Ｗである。また、オーディオ入出力部２１２は、マイク２１０を介して音声を入力するとともにスピーカ２０８を介して音声を出力する入出力インターフェースである。なお、本実施形態の着信通知装置２００は、スピーカ２０８、マイク２１０及びオーディオ入出力部２１２を備える例を示したが、これには限られない。例えば、利用者に対して着信音によって着信を通知するのではなく、以下に説明するようにバイブレータ２２０の振動によって着信を通知する場合には、スピーカ２０８、マイク２１０及びオーディオ入出力部２１２を設けなくてもよい。
【００２６】
バイブレータ２２０は、例えば携帯電話機１００の着信をユーザに伝える際に用いられる振動器である。バイブレータ２２０は、例えばモータの軸に重心を偏らせた重りを取り付け、モータを回転させることで着信通知装置２００を振動させる。なお、本実施形態では、着信通知装置２００を振動させる振動器の一例としてバイブレータ２２０を例に挙げたが、これに限られず、着信通知装置２００を振動させるデバイスを用いることができる。
【００２７】
記憶部２５０は、着信通知装置２００の各種機能を実行するためのデータ、及び着信通知装置２００の各種機能を実行するための各種プログラムを格納するＲＯＭ２５２を有する。また、記憶部２５０は、ＲＯＭ２５２に格納された各種プログラムのうち実行されるプログラムを格納するＲＡＭ２５４を有する。記憶部２５０には、電子機器を識別する識別子に対応して振動パターン又は着信音パターンが設定された鳴動パターンテーブルが格納される。
【００２８】
ここで、鳴動パターンテーブルについて説明する。図４は、鳴動パターンテーブルの一例を示す図である。図４に示すように、鳴動パターンテーブル３００は、複数のＲＦＩＤ３０２それぞれに対応して、バイブレータパターン３０４と、着信音パターン３０６が設定されている。複数のＲＦＩＤ３０２はそれぞれ、携帯電話機を識別する識別子となる。例えばＲＦＩＤ３０２の識別子が「１０００」の場合には、バイブレータパターン３０４は「パターン１」となり、着信音パターン３０６は「パターン１」となる。また、例えばＲＦＩＤ３０２の識別子が「１００１」の場合には、バイブレータパターン３０４は「パターン２」となり、着信音パターン３０６は「パターン２」となる。鳴動パターンテーブル３００は、着信通知装置２００の初期設定で設定されていてもよい。また、利用者の入力操作によって、利用者が所持する複数台の携帯電話機に対応するＲＦＩＤ３０２、バイブレータパターン３０４、及び着信音パターン３０６を設定することもできる。なお、本実施形態は、バイブレータパターン３０４及び着信音パターン３０６の双方を設定する例を示したが、これに限らずバイブレータパターン３０４及び着信音パターン３０６のいずれか一方を設定することもできる。
【００２９】
図３の説明に戻って、表示部２５６は、文字や画像などの各種情報を表示する液晶パネルなどの出力インターフェースである。キー入力部２５８は、着信通知装置２００に設けられた各種の操作キーであり、ユーザから入力された操作を受け付ける入力インターフェースである。なお、着信通知装置２００は携帯電話機１００に対する着信を利用者に通知することを主な機能としているため、表示部２５６及びキー入力部２５８を設けなくてもよい。
【００３０】
プロセッサ２６０は、ＲＯＭ２５２又はＲＡＭ２５４に格納された各種プログラムを実行するＣＰＵ等の演算処理部である。プロセッサ２６０は、ＲＯＭ２５２又はＲＡＭ２５４に格納された各種プログラムを実行することにより、上述したＲＦＩＤ−Ｒ／Ｗ２０４、オーディオ入出力部２１２、バイブレータ２２０、表示部２５６、及びキー入力部２５８を制御する。なお、プロセッサ２６０で実行されるプログラムは、ＲＯＭ２５２又はＲＡＭ２５４に格納されるだけではなく、ＣＤ−ＲＯＭやメモリ媒体等の頒布できる記憶媒体に記録しておき、記憶媒体から読み出して実行することができる。また、ネットワークを介して接続されたサーバにプログラムを格納し、サーバ上でプログラムが動作するようにしておいて、ネットワークを介して接続される着信通知装置２００からの要求に応じてサービスを要求元の着信通知装置２００に提供することもできる。
【００３１】
次に、着信通知装置２００の機能ブロックについて説明する。図５は、着信通知装置の機能ブロックを示す図である。図５に示すように、着信通知装置２００は、機能ブロックとして、近距離通信制御部２７２、登録判定部２７４、オーディオ制御部２７６、及びバイブレータ制御部２７８を備える。近距離通信制御部２７２、登録判定部２７４、オーディオ制御部２７６、及びバイブレータ制御部２７８は、プロセッサ２６０がＲＯＭ２５２又はＲＡＭ２５４から各種プログラムを読み出して実行することによって実現される。
【００３２】
近距離通信制御部２７２は、携帯電話機１００から送信された着信通知信号を受信したか否かを判定する。例えば、近距離通信制御部２７２は、通信信号を受信したら給電が開始されるＲＦＩＤチップ１２０を備えた携帯電話機１００から着信通知信号を受信したか否かを判定する。
【００３３】
登録判定部２７４は、近距離通信制御部２７２によって着信通知信号を受信したと判定されたら、受信した着信通知信号に含まれる識別子（以下、「受信識別子」という）が、鳴動パターンテーブル３００に登録されているか否かを判定する。例えば、登録判定部２７４は、受信識別子である４ｂｉｔのＲＦＩＤ信号が、鳴動パターンテーブル３００のＲＦＩＤ３０２に登録されているか否かを判定する。
【００３４】
鳴動制御部２７５は、近距離通信制御部２７２によって着信通知信号を受信したと判定されたら、この受信した着信通知信号に基づいて自装置を振動させるか、又は自装置から着信音を出力させる。鳴動制御部２７５は、例えばオーディオ制御部２７６と、バイブレータ制御部２７８とを有する。オーディオ制御部２７６は、登録判定部２７４によって受信識別子が鳴動パターンテーブル３００に登録されていると判定されたら、受信識別子に対応する着信音パターン３０６にしたがってスピーカ２０８から着信音を出力させる。バイブレータ制御部２７８は、登録判定部２７４によって受信識別子が鳴動パターンテーブル３００に登録されていると判定されたら、受信識別子に対応するバイブレータパターン３０４にしたがって、バイブレータ２２０を制御して自装置を振動させる。
【００３５】
次に、携帯電話機１００の処理について説明する。図６は、携帯電話機の処理フローを示す図である。なお、携帯電話機１００は、待ち受け状態においては、ＲＦＩＤチップ１２０への給電が行われていないので、携帯電話機１００がＲＦＩＤ−Ｒ／Ｗ２０４に隣接していたとしても、ＲＦＩＤチップ１２０は動作しない。
【００３６】
図６に示すように、まず、着信判定部１７８は、携帯電話機１００に対して通信相手の電子機器からの着信があるか否かを判定する（ステップＳ１０１）。着信判定部１７８は、携帯電話機１００に対して通信相手の電子機器からの着信があると判定されるまで、ステップＳ１０１の処理を繰り返す。
【００３７】
一方、電源制御部１８２は、携帯電話機１００に対して通信相手の電子機器からの着信があると判定された場合には（ステップＳ１０１，Ｙｅｓ）、ＲＦＩＤ給電コイルをＯＮに設定する（ステップＳ１０２）。これにより、ＲＦＩＤチップ１２０は動作可能な状態になる。なお、ＲＦＩＤチップ１２０がロック状態ではなく、給電状態であった場合には、ステップＳ１０２の処理は省略される。
【００３８】
続いて、近距離通信制御部１８０は、着信通知信号を送信する（ステップＳ１０３）。これにより、複数の携帯電話機がＲＦＩＤ−Ｒ／Ｗ２０４に隣接していたとしても、着信した携帯電話機のみ着信通知信号の送信が行われる。
【００３９】
続いて、近距離通信制御部１８０は、キー入力部１５８を介して携帯電話機１００の応答ボタンが押下されたか又は通信相手からの着信が途切れたか否かを判定する（ステップＳ１０４）。近距離通信制御部１８０は、携帯電話機１００の応答ボタンが押下されたか又は通信相手からの着信が途切れたと判定されるまで、ステップＳ１０４の処理を繰り返す。
【００４０】
一方、近距離通信制御部１８０は、携帯電話機１００の応答ボタンが押下されたか又は通信相手からの着信が途切れたと判定されたら（ステップＳ１０４，Ｙｅｓ）、着信通知信号の送信を停止する（ステップＳ１０５）。続いて、電源制御部１８２は、ＲＦＩＤ給電コイルをＯＦＦに設定する（ステップＳ１０６）。なお、上述のステップＳ１０２の処理を行う前のＲＦＩＤチップ１２０の状態がロック状態ではなく、給電状態であった場合には、ステップＳ１０６の処理は省略される。
【００４１】
次に、着信通知装置２００の処理について説明する。図７は、着信通知装置の処理フローを示す図である。まず、近距離通信制御部２７２は、携帯電話機１００からＲＦＩＤ識別信号を受信したか否かを判定する（ステップＳ２０１）。近距離通信制御部２７２は、携帯電話機１００からＲＦＩＤ識別信号を受信したと判定されるまで、ステップＳ２０１の処理を繰り返す。
【００４２】
一方、登録判定部２７４は、ＲＦＩＤ識別信号を受信したと判定されたら（ステップＳ２０１，Ｙｅｓ）、受信したＲＦＩＤ識別信号に含まれるＲＦＩＤ識別子が鳴動パターンテーブル３００に登録されているか否かを判定する（ステップＳ２０２）。
【００４３】
登録判定部２７４は、受信したＲＦＩＤ識別信号に含まれるＲＦＩＤ識別子が鳴動パターンテーブル３００に登録されていないと判定された場合には（ステップＳ２０２，Ｎｏ）、処理を終了する。
【００４４】
一方、登録判定部２７４は、ＲＦＩＤ識別信号に含まれるＲＦＩＤ識別子が鳴動パターンテーブル３００に登録されていると判定された場合には（ステップＳ２０２，Ｙｅｓ）、ＲＦＩＤ識別子に対応するバイブレータパターンを取得する（ステップＳ２０３）。例えば、登録判定部２７４は、鳴動パターンテーブル３００を参照して、受信したＲＦＩＤ識別信号に含まれるＲＦＩＤ識別子に対応するバイブレータパターン３０４を読み出す。
【００４５】
続いて、登録判定部２７４は、受信したＲＦＩＤ識別信号に含まれるＲＦＩＤ識別子に対応する着信音パターンを取得する（ステップＳ２０４）。例えば、登録判定部２７４は、鳴動パターンテーブル３００を参照して、受信したＲＦＩＤ識別信号に含まれるＲＦＩＤ識別子に対応する着信音パターン３０６を読み出す。
【００４６】
続いて、バイブレータ制御部２７８は、取得されたバイブレータパターンに応じた振動パターンでバイブレータ２２０を振動させる（ステップＳ２０５）。また、オーディオ制御部２７６は、取得された着信音パターンに応じてスピーカ２０８から着信音を出力させる（ステップＳ２０６）。
【００４７】
以上のように、本実施形態の携帯電話機１００及び着信通知装置２００によれば、着信通知機能による消費電力を低減させることができる。すなわち、本実施形態では、着信通知装置との間で常に通信リンクを設定することなく、ごく微量の電力で動作するＲＦＩＤチップ１２０を用いて着信通知装置に着信を通知するように構成する。その結果、着信通知機能による携帯電話機１００及び着信通知装置２００の消費電力を低減することができる。また、ＲＦＩＤチップ１２０がロック状態であって、給電されていない場合であっても、着信判定部１７８によって通信信号を受信したと判定されたら、電源制御部１８２によって電源１４０からＲＦＩＤチップ１２０に対する給電を開始して（ＲＦＩＤ給電コイルをオンにして）、着信通知信号を送信する。したがって、ＲＦＩＤチップ１２０が給電されていない状態であっても、携帯電話機１００と着信通知装置２００との間で常に通信リンクを設定しておくのではなく、携帯電話機１００に着信があったときにのみ着信通知装置２００は通信を開始する。その結果、着信通知機能による携帯電話機１００及び着信通知装置２００の消費電力を低減することができる。
【００４８】
また、本実施形態の携帯電話機１００は、着信通知機能における利便性を向上させることができる。すなわち、従来技術は、利用者が所持する１台の携帯電話機に対応する１台の着信通知装置を身に付けることを想定していると考えられる。しかしながら近年、利用者がプライベート用とビジネス用などのように複数台の携帯電話機を所持する機会が増えている。この点、従来技術では、複数台の携帯電話機を所持している利用者は、各携帯電話機に対応する複数台の着信通知装置を身に付けておくことが求められるので、利便性の面で好ましくない。これに対して本実施形態では、単に着信があったことを示す信号を送信するのではなく、着信を受けた自携帯電話機を識別する識別子を含んだ着信通知信号を送信する。そして、着信通知装置２００は、鳴動パターンテーブル３００に、複数台の携帯電話機の識別子に対応してバイブレータパターン又は着信音パターンが登録され、受信した識別子に対応するバイブレータパターン又は着信音パターンで着信があったことを通知する。したがって、本実施形態によれば、複数台の携帯電話機を所持する場合であっても、各携帯電話機に対する着信を１台の着信通知装置２００によって通知することができる。利用者は、例えば携帯電話機ごとにバイブレータパターン又は着信音パターンを異ならせることにより、どの携帯電話機に着信があったかを容易に判断することができる。
【００４９】
なお、本実施形態は、主に携帯電話機１００及び着信通知装置２００を中心に説明したが、これに限らず、あらかじめ用意された着信通知プログラムをコンピュータで実行することによって、上述の実施形態と同様の機能を実現することができる。すなわち、着信通知プログラムは、ＩＣチップを備える電子機器に、通信信号を受信したか否かを判定する処理を実行させる。また、着信通知プログラムは、ＩＣチップを備える電子機器に、前記通信信号を受信したと判定されたら、前記通信信号を受信したことを示す着信通知信号を前記ＩＣチップから送信させる処理を実行させる。
【００５０】
なお、着信通知プログラムは、インターネットなどの通信ネットワークを介してコンピュータに配布することができる。また、着信通知プログラムは、電子機器に設けられたメモリ、ハードディスク、その他のコンピュータで読み取り可能な記録媒体に記録され、コンピュータによって記録媒体から読み出されることによって実行することもできる。
【符号の説明】
【００５１】
１００  携帯電話機
１２０  ＲＦＩＤチップ
１４０  電源
１７８  着信判定部
１８０  近距離通信制御部
１８２  電源制御部
２００  着信通知装置
２０８  スピーカ
２２０  バイブレータ
２７２  近距離通信制御部
２７４  登録判定部
２７５  鳴動制御部
３００  鳴動パターンテーブル
【図１】
2012244474.tif 000003
【図２】
2012244474.tif 000004
【図３】
2012244474.tif 000005
【図４】
2012244474.tif 000006
【図５】
2012244474.tif 000007
【図６】
2012244474.tif 000008
【図７】
2012244474.tif 000009